(57)【要約】  【課題】  熱交換を経て温度が下げられた工作液によって貯冷ユニットに予め低温を貯蔵しておくことにより、飲物が貯液タンクに充填される時、上記貯冷ユニットの中の低温によって上記飲物の温度を迅速に下げることができる。  【解決手段】  貯冷ユニット３、冷却ユニット１および少なくとも一個の導管２を有する貯冷式飲物供給装置において、貯冷ユニット３には少なくとも一個の貯液タンク３１と収容室３２が形成され、貯液タンク３１は収容室３２の中に収容され、収容室３２の内周壁面と貯液タンク３１との間には工作液３３が形成される。冷却ユニット１には送出端１１と送入端１２が形成され、冷却ユニット１は冷却剤の温度を下げるのに用いられる。少なくとも一個の導管２は冷却ユニット１の送入端１２と送出端１１に連接されることにより、上記冷却剤は導管２に進入して工作液３３と熱交換を行うように構成されている。【選択図】  図１
2010149916.tif 000002
【特許請求の範囲】
【請求項１】
貯冷ユニット（３）、冷却ユニット（１）および導管（２）を有する貯冷式飲物供給装置において、貯冷ユニット（３）は少なくとも一個の貯液タンク（３１）と収容室（３２）を備え、貯液タンク（３１）は収容室（３２）の中に収容され、収容室（３２）の内周壁面と貯液タンク（３１）との間には工作液（３３）が貯留され、貯液タンク（３１）は飲物を収容するのに用いられ、冷却ユニット（１）は送出端（１１）と送入端（１２）を備え、冷却ユニット（１）は冷却剤の温度を下げるのに用いられ、導管（２）は冷却ユニット（１）の送入端（１２）と連接するための送出端（２２）と、冷却ユニット（１）の送出端（１１）と連接するための送入端（２１）とをそれぞれ有し、導管（２）は貯冷ユニット（３）に伸入して通過するように形成され、そして工作液（３３）と接触するように形成されることを特徴とする貯冷式飲物供給装置。
【請求項２】
導管（２）の貯冷ユニット（３）に伸入する部分は貯液タンク（３１）に螺旋状に巻き付けるように形成されることを特徴とする請求項１記載の貯冷式飲物供給装置。
【請求項３】
導管（２）は貯液タンク（３１）の外表面に貼設するように形成されることを特徴とする請求項２記載の貯冷式飲物供給装置。
【請求項４】
貯液タンク（３１）には他に導引部（３１２）が設けられ、導引部（３１２）は延伸して収容室（３２）の周壁面を通過するように形成され、導引部（３１２）には貯液タンク（３１）と互いに連通するための通孔が形成されることを特徴とする請求項１記載の貯冷式飲物供給装置。
【請求項５】
貯液タンク（３１）の底部には取液バルブ（３１３）が設けられ、取液バルブ（３１３）は延伸して収容室（３２）の周壁面を通過するように形成されることを特徴とする請求項１記載の貯冷式飲物供給装置。
【請求項６】
工作液（３３）は不凍液からなることを特徴とする請求項１記載の貯冷式飲物供給装置。
【請求項７】
貯冷ユニット（３）、冷却ユニット（１）、熱交換ユニット（４）、二個の導流管（６）および導引ユニット（５）を有する貯冷式飲物供給装置において、貯冷ユニット（３）は少なくとも一個の貯液タンク（３１）と収容室（３２）を備え、貯液タンク（３１）は収容室（３２）の中に収容され、収容室（３２）の内周壁面と貯液タンク（３１）との間には工作液（３３）が貯留され、貯液タンク（３１）は飲物を収容するのに用いられ、冷却ユニット（１）は送出端（１１）と送入端（１２）を備え、冷却ユニット（１）は冷却剤の温度を下げるのに用いられ、熱交換ユニット（４）は第一横流道（４１）と第二横流道（４２）を備え、第一横流道（４１）と第二横流道（４２）は全て二個の開口を有するように形成され、各導流管（６）は冷却ユニット（１）と熱交換ユニット（４）との間に連接され、各導流管（６）の一端はそれぞれ冷却ユニット（１）の送出端（１１）と送入端（１２）に連接され、そして他端はそれぞれ熱交換ユニット（４）の第一横流道（４１）の上記二個の開口に連接され、導引ユニット（５）は熱交換ユニット（４）の第二横流道（４２）の上記二個の開口と貯冷ユニット（３）の収容室（３２）との間に連接されることにより、工作液（３３）が導引ユニット（５）、収容室（３２）と第二横流道（４２）の中において流動するように駆動することを特徴とする貯冷式飲物供給装置。
【請求項８】
それぞれの貯液タンク（３１）には他に導引部（３１２）が設けられ、導引部（３１２）は延伸して収容室（３２）の周壁面を通過するように形成され、導引部（３１２）には貯液タンク（３１）と互いに連通するための通孔が形成されることを特徴とする請求項７記載の貯冷式飲物供給装置。
【請求項９】
それぞれの貯液タンク（３１）の底部には取液バルブ（３１３）が設けられ、取液バルブ（３１３）は延伸して収容室（３２）の周壁面を通過するように形成されることを特徴とする請求項７記載の貯冷式飲物供給装置。
【請求項１０】
工作液（３３）は不凍液からなることを特徴とする請求項７記載の貯冷式飲物供給装置。
【請求項１１】
導引ユニット（５）は二個の導引管（５１、５２）と循環ポンプ（５３）を備え、各導引管（５１、５２）はそれぞれ冷熱交換ユニット（４）の第二横流道（４２）の上記二個の開口と貯冷ユニット（３）の収容室（３２）との間に連接され、そして循環ポンプ（５３）は二個の導引管（５１、５２）の内の一個に直列に連結されることを特徴とする請求項７記載の貯冷式飲物供給装置。
【発明の詳細な説明】
【技術分野】
【０００１】
本発明は、貯冷式飲物供給装置に関するもので、特に、予め降温させた貯冷ユニットを利用して飲物の温度を迅速に下げるための貯冷式飲物供給装置に係るものである。
【背景技術】
【０００２】
図３を参照すると、従来の飲物供給装置として例えば中華民国公開番号第２００８４０４９２号「飲物供給装置の冷却モジュール」においては、収容タンク８および冷却剤管９が含まれる。収容タンク８の内部には複数個の仕切り板８１により複数個の収容空間８２が仕切られ、それぞれの収容空間８２は各種の異なる冷却しようとする飲物を収容するのに用いられる。冷却剤管９は収容タンク８の外側の周面に巻き付けるように設置され、そして収容タンク８の一端から他端へ向って延伸するように形成される。その他に、冷却剤管９の両端はコンプレッサー（図示せず）と連接するように形成される。これにより、冷却剤は上記コンプレッサーにより冷却剤管９の一端から冷却剤管９に進入するように輸送され、そして冷却剤管９の他端を経由して送出された後、上記コンプレッサーまで回収されることにより、上記冷却剤が上記コンプレッサーにより圧縮された後、再び冷却剤管９まで導引されるため、循環して使用することができる。上述したとおり、冷却剤管９が収容タンク８に貼接されるため、上記冷却剤は熱伝導の方式を利用して収容タンク８の中の飲物の熱エネルギーを吸収することにより、温度を下げた飲物を提供することができるようにとしたものがある（例えば、特許文献１を参照）。
【特許文献１】中華民国公開番号第２００８４０４９２号
【発明の開示】
【発明が解決しようとする課題】
【０００３】
上述した従来の飲物供給装置において、一般として下記の問題点を有している。例えば、冷却剤管９と収容タンク８との熱交換の接触面積は冷却剤管９が収容タンク８に貼接するエリアの面積しかないため、さらに収容タンク８に複数個の収容空間８２が形成され、それぞれの収容空間８２に隣接して設置される部分の熱交換の接触面積はさらに不足になるため、冷却剤管９によって上記飲物を冷却する熱交換の効率が悪くなるという問題点を有する。このように、上記のような従来の飲物供給装置をさらに改良しなければならない。
【０００４】
本発明はこのような問題点に鑑みて発明したものであって、その第一な目的とするところは、貯冷ユニットの内部において予め低温を貯蔵しておき、飲物が上記貯冷ユニットに充填された後、先に上記貯冷ユニットの内部に貯蔵されている上記低温によって装置内部の飲物の温度を迅速に下げることにより、使用者に最短な時間内で上記飲物を急速に冷却させることができる貯冷式飲物供給装置を提供しようとするものである。
【０００５】
本発明の第二な目的とするところは、貯冷ユニットの貯液タンクに内装された液体は急速な冷却効果を有するとともに、上記貯冷ユニットの内部の工作液の温度が零下より低くなったり、またはその他の氷点が比較的低いアルコール類の飲物に適用したりすることができる貯冷式飲物供給装置を提供しようとするものである。
【課題を解決するための手段】
【０００６】
上記目的を達成するために、本発明による貯冷式飲物供給装置は、下記のようになるものである。すなわち、
貯冷ユニット、冷却ユニットおよび導管を有する貯冷式飲物供給装置において、貯冷ユニットは少なくとも一個の貯液タンクと収容室を備える。貯液タンクは収容室の中に収容され、収容室の内周壁面と貯液タンクとの間には工作液が貯留される。貯液タンクは飲物を収容するのに用いられる。冷却ユニットは送出端と送入端を備え、冷却ユニットは冷却剤の温度を下げるのに用いられる。導管は冷却ユニットの送入端と連接するための送出端と、冷却ユニットの送出端と連接するための送入端とをそれぞれ有する。導管は貯冷ユニットに伸入して通過するように形成され、そして工作液と接触するように形成される。
【０００７】
また、本発明による貯冷式飲物供給装置は、導管の貯冷ユニットに伸入する部分が貯液タンクに螺旋状に巻き付くように形成することもできる。また、導管を貯液タンクの外表面に貼設するように形成することもできる。また、他に、貯液タンクに導引部を設けることもでき、導引部は延伸して収容室の周壁面を通過するように形成され、導引部には貯液タンクと互いに連通するための通孔が形成される。また、貯液タンクの底部に取液バルブを設けることもでき、取液バルブは延伸して収容室の周壁面を通過するように形成される。また、工作液に不凍液を用いることもできる。
【０００８】
さらに、本発明による貯冷式飲物供給装置は、貯冷ユニット、冷却ユニット、熱交換ユニット、二個の導流管および導引ユニットを有する貯冷式飲物供給装置に適用することもできる。貯冷ユニットは少なくとも一個の貯液タンクと収容室を備える。貯液タンクは収容室の中に収容され、収容室の内周壁面と貯液タンクとの間には工作液が貯留される。貯液タンクは飲物を収容するのに用いられる。冷却ユニットは送出端と送入端を備え、冷却ユニットは冷却剤の温度を下げるのに用いられる。熱交換ユニットは第一横流道と第二横流道を備え、第一横流道と第二横流道は全て二個の開口を有するように形成される。各導流管は冷却ユニットと熱交換ユニットとの間に連接される。各導流管の一端はそれぞれ冷却ユニットの送出端と送入端に連接され、そして他端はそれぞれ熱交換ユニットの第一横流道の上記二個の開口に連接される。導引ユニットは、熱交換ユニットの第二横流道の上記二個の開口と貯冷ユニットの収容室との間に連接されることにより、工作液が導引ユニット、収容室と第二横流道の中において流動するように駆動する。
【０００９】
また、本発明による貯冷式飲物供給装置は、それぞれの貯液タンクの底部に取液バルブが設けることもでき、取液バルブは延伸して収容室の周壁面を通過するように形成される。また、工作液に不凍液を用いることもできる。また、導引ユニットは二個の導引管と循環ポンプを備えることもできる。各導引管はそれぞれ冷熱交換ユニットの第二横流道の上記二個の開口と貯冷ユニットの収容室との間に連接され、そして循環ポンプは二個の導引管の内の一個に直列に連結される。
【発明の効果】
【００１０】
本発明の貯冷式飲物供給装置によれば、貯冷ユニットの内部において予め低温エネルギを貯蔵しておき、飲物が上記貯冷ユニットに充填された後、先に上記貯冷ユニットの内部に貯蔵されている上記低温エネルギによって装置内部の飲物の温度を迅速に下げることにより、使用者に最短時間内で上記飲物を急速に冷却させることができるという利点がある。
【００１１】
本発明の貯冷式飲物供給装置によれば、貯冷ユニットの貯液タンクに内装された液体は急速な冷却効果を有するとともに、上記貯冷ユニットの内部の工作液の温度が零下より低くなったり、またはその他の氷点が比較的低いアルコール類の飲物に適用したりすることができるという利点がある。
【発明を実施するための最良の形態】
【００１２】
本発明の実施の形態について、以下、図面を参照して説明する。
【実施例１】
【００１３】
図１は本発明の実施例１による貯冷式飲物供給装置の冷却回路の説明図である。図１を参照すると、本発明の実施例１の貯冷式飲物供給装置は冷却ユニット１、導管２および貯冷ユニット３を有する。冷却ユニット１は冷却剤の温度を低く下げるのに用いられる。冷却ユニット１には送出端１１、送入端１２、流量制御器１３、冷媒コンプレッサー１４及びラジエーター１５が含まれる。上記冷却剤は冷媒からなる。送出端１１と送入端１２は冷却ユニット１を経て降温される冷却剤（すなわち低温冷却剤）を送出するのに用いたり、または冷却ユニット１により降温しようとする冷却剤（すなわち高温冷却剤）を送入するのに用いたりされる。流量制御器１３は送出端１１と連接して冷却ユニット１に送出される上記冷却剤の流量を制御する。冷媒コンプレッサー１４は送入端１２に連接され、送入端１２から送入される上記冷却剤を高圧状態になるように圧縮する。そしてラジエーター１５は流量制御器１３と冷媒コンプレッサー１４との間に連接され、上記高圧状態の冷却剤に対して放熱を行った後、上記冷却剤は流量制御器１３と送出端１１を経由して冷却ユニット１から送出される。
【００１４】
再び図１を参照すると、導管２は貯冷ユニット３に進入して通過するように形成される。導管２にも送入端２１と送出端２２が含まれる。送入端２１と送出端２２はそれぞれ冷却ユニット１の送出端１１と送入端１２に連接されることにより、冷却ユニット１より送出される冷却剤が送入端２１から導管２に流入された後、導管２に従って貯冷ユニット３を通過してから、再び送出端２２から冷却ユニット１まで回流するように形成される。
【００１５】
貯冷ユニット３には少なくとも一個（寿司の場合、２個）の貯液タンク３１と一個の収容室３２が含まれる。貯液タンク３１は収容室３２の中に位置するとともに、貯液タンク３１には冷却しようとする飲物を収容するための収容空間３１１が形成され、そして貯液タンク３１と収容室３２の内周壁面との間には工作液３３が充填される。収容室３２の内部空間は好ましくは密閉の空間からなり、そして工作液３３は選択的に不凍液からなる。さらに工作液３３と導管２が貯冷ユニット３の内部に延伸した部分は互いに接触するように形成される。
【００１６】
再び図１を参照すると、本発明の実施例１において、貯冷ユニット３に進入して通過した導管２は、貯冷ユニット３に設けられた貯液タンク３１に螺旋状に巻き付くように形成され、さらには貯液タンク３１の外表面に貼設するように形成される。貯冷ユニット３の貯液タンク３１の数は選択的に一個または一個以上からなるため、異なる種類の飲物を貯蔵することもできる。さらに貯液タンク３１には他に導引部３１２と取液バルブ３１３が設けられる。
【００１７】
導引部３１２は収容室３２の周壁面に延伸して通過するように形成され、そして導引部３１２の通孔は貯液タンク３１の収容空間３１１とは互いに連通するように形成される。これにより、冷却しようとする飲物が充填される容器７の開口７１は導引部３１２に取り付けられるため、容器７の内部の飲物は導引部３１２を経て貯液タンク３１の収容空間３１１に進入することができる。取液バルブ３１３は貯液タンク３１の底部に設置されるとともに、収容室３２の周壁面に延伸して通過するように形成されるため、使用者は取液バルブ３１３によって貯液タンク３１の内部の飲物を飲用することができる。
【００１８】
図２を参照して説明すると、本発明の実施例１において貯冷式飲物供給装置が作動されると、冷却ユニット１から生じる低温冷却剤は導管２に沿って貯冷ユニット３に流入される。この時、貯液タンク３１に巻き付けられた導管２の中に絶えずに流動している低温冷却剤は、貯冷ユニット３に貯蔵される工作液３３との間で熱交換が生じることにより、工作液３３の温度が下げられると同時に、上記低温冷却剤は工作液３３の熱エネルギーを吸収して高温の冷却剤となり、そして高温冷却剤は再び導管２に沿って冷却ユニット１まで回流される。
【００１９】
このような工作液３３に対する降温の作業は、冷却しようとする飲物を収容空間３１１に入れる前に遂行することができるため、貯冷ユニット３は予冷の状態で用意される。そして、使用者の使用上の需要に応じて予め工作液３３が達成しようとする予定の温度を設定することができるため、工作液３３が予定の温度に達した時、冷却ユニット１の流量制御器１３により、上記冷却剤が引き続き導管２に沿って伝送して貯冷ユニット３に進入することを停止することができる。
【００２０】
上記冷却しようとする飲物が収容空間３１１に入れられた後、上記予定の温度に達した工作液３３は初めて貯液タンク３１に入れられる常温の飲物とは熱交換が生じ、そして工作液３３に予め蓄えられた低温により上記飲物の温度を迅速に低く下げることにより、急速な冷却の効果を達成することができる。この時、貯冷ユニット３の内部に貯蔵される工作液３３は上記常温の飲物の熱エネルギーを吸収して温度が上昇され、そして工作液３３の温度が一旦予定の温度より高くなると、冷却ユニット１の流量制御器１３は新たに起動して上記低温冷却剤は導管２に沿って貯冷ユニット３に進入するように形成されるため、新たに貯冷ユニット３の温度を予定の温度になるまで低く下げることができる。
【実施例２】
【００２１】
図２は本発明の実施例２による貯冷式飲物供給装置の冷却回路の説明図である。図２を参照すると、実施例２において、貯冷式飲物供給装置には貯冷ユニット３に延伸して進入する導管２が設置されておらず、代わりに、熱交換ユニット４、導引ユニット５と二個の導流管６が設置される。導引ユニット５は熱交換ユニット４と貯冷ユニット３との間に連接され、そして二個の導流管６は熱交換ユニット４と冷却ユニット１との間に連接される。
【００２２】
さらに詳しく言えば、熱交換ユニット４には第一横流道４１と第二横流道４２が設けられる。第一横流道４１は第一送入端４１１と第一送出端４１２を有し、第二横流道４２は第二送入端４２１と第二送出端４２２を有する。導引ユニット５には第一導引管５１と第二導引管５２が設けられ。
【００２３】
本発明の実施例２において、冷却ユニット１の送出端１１は二個の導流管６の内の一個を経由して第一横流道４１の第一送入端４１１に連接され、そして送入端１２は二個の導流管６の内のもう一個を経由して第一送出端４１２に連接される。これにより、上記冷却剤は送出端１１と第一送入端４１１を経由し熱交換ユニット４の第一横流道４１に流入され、そして再び送入端１２と第一送出端４１２を経由して冷却ユニット１まで戻して冷却剤の循環回路が形成される。
【００２４】
また、熱交換ユニット４の第二横流道４２の第二送入端４２１は第一導引管５１を経由して貯冷ユニット３の収容室３２まで連結され、そして収容室３２は第二導引管５２を経由して循環ポンプ５３と直列に接続してから、再び第二横流道４２の第二送出端４２２まで連接される。これにより、熱交換ユニット４は第一導引管５１と第二導引管５２を経由して貯冷ユニット３と連接するため、工作液の循環回路が形成される。その中、循環ポンプ５３は上記工作液の循環回路における工作液３３の流動を駆動するのに用いられる。
【００２５】
本発明の実施例２において、第一横流道４１に流入される冷却剤と第二横流道４２に流入される工作液３３は、熱交換ユニット４において熱交換を行うことにより、貯冷ユニット３の内部に貯蔵される工作液３２の温度を予定の温度まで迅速に低く下げることができるため、貯冷ユニット３の急速な冷却効果を達成することができる。
【産業上の利用可能性】
【００２６】
上述の如く、従来の飲物供給装置によれば、複数個の仕切り板８１を利用して収容タンク８の内部を複数個の収容空間８２に仕切って複数類の飲物を収容することにより、冷却の効率が低下し、熱交換の面積が比較的小さいという問題点を有しているが、本発明の貯冷式飲物供給装置によれば、貯冷ユニット３の収容室３２には少なくとも一個の貯液タンク３１が設けられ、そして収容室３２の内周壁面と貯液タンク３１との間に工作液３３が充填され、それから冷却ユニット１により降温される冷却剤を利用して工作液３３と熱交換を行うことにより、貯冷ユニット３は貯液タンク３１において上記飲物を入れる前に先に予冷の効果に達成することができる。
【００２７】
その他に、従来の飲物供給装置によれば、冷却剤管９と収容タンク８との熱交換の接触の面積は冷却剤管９が収容タンク８に貼接するエリアの面積しかないという問題点を有しているが、本発明の貯冷式飲物供給装置によれば、工作液３３は収容室３２の内周壁面と貯液タンク３１との間に位置され、さらに貯液タンク３１の外表面に被覆されることにより、上記飲物の熱交換の面積を大幅に増やすことができるため、上記飲物の冷却の効率を大幅に高めることができる。
【００２８】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２９】
【図１】本発明の実施例１の貯冷式飲物供給装置の冷却回路による説明図である。
【図２】本発明の実施例２の貯冷式飲物供給装置の冷却回路による説明図である。
【図３】従来の飲物冷却装置による局部の斜視図である。
【符号の説明】
【００３０】
１    冷却ユニット
１１    送出端                        １２    送入端
１３    流量制御器                    １４    冷媒コンプレッサー
１５    ラジエーター
２    導管
２１    送入端                        ２２    送出端
３    貯冷ユニット
３１    貯液タンク                  ３１１    収容空間
３１２    導引部                      ３１３    取液バルブ
３２    収容室                        ３３    工作液
４    熱交換ユニット
４１    第一横流道                  ４１１    第一送入端
４１２    第二送出端
４２    第二横流道                  ４２１    第二送入端
４２２    第二送出端
５    導引ユニット
５１    第一導引管                    ５２    第二導引管
５３    循環ポンプ
６    導流管
７    容器
７１    開口
８    収容タンク
８１    仕切り板                      ８２    収容空間
９    冷却剤管
【図１】
2010149916.tif 000003
【図２】
2010149916.tif 000004
【図３】
2010149916.tif 000005